(57)【要約】      （修正有）【課題】尿を吸収すべく下着又は使い捨ておむつに取り付けられて使用される吸収性物品において、防漏壁部の防漏作用を確実に発揮させる。【解決手段】吸収性コア１１と、液透過性の表面シート２１と、を有する吸収性物品１の本体部１ｓにおいて、本体部の幅方向の各端部の位置にそれぞれ防漏壁部４０が設けられる。外力が作用しない無負荷状態の吸収性物品を、肌側面が上方を向くようにしつつ水平面上に静置した状態において、本体部の幅方向及び長手方向の両方向における中央位置に、６０ｇの模擬尿を、２０ｇ／ｓｅｃの滴下速度で滴下する３回の滴下処理を、５分の時間間隔をあけるようにしながら行った場合に、３回目の滴下処理が完了してから３分経過時における本体部の肌側面の中央位置の上下方向の高さが、中央位置を含む幅方向に沿った断面での防漏壁部の上下方向の高さよりも低くなるように規定する高さ規定構造を有する。【選択図】図７
2014226460.tif 000002
【特許請求の範囲】
【請求項１】
尿を吸収すべく下着又は使い捨ておむつに取り付けられて使用され、厚さ方向と幅方向と長手方向とを有する吸収性物品であって、
前記吸収性物品の本体部は、液体吸収性素材を含む吸収性コアと、前記吸収性コアよりも前記厚さ方向の肌側に設けられる液透過性の表面シートと、を有し、
前記本体部において前記表面シートよりも前記肌側には、前記本体部の前記幅方向の各端部の位置にそれぞれ防漏壁部が設けられ、
前記防漏壁部は、前記本体部のうちで前記厚さ方向の肌側を向いた面たる肌側面から起立し、
外力が作用しない無負荷状態の前記吸収性物品を、前記肌側面が上方を向くようにしつつ水平面上に静置した状態において、
前記本体部の前記幅方向及び前記長手方向の両方向における中央位置に、０．９％の重量濃度で塩が水に溶解してなる６０ｇの模擬尿を、２０ｇ／ｓｅｃの滴下速度で滴下する３回の滴下処理を、前記滴下処理同士の間に５分の時間間隔をあけるようにしながら行った場合に、
３回目の前記滴下処理が完了してから３分経過時における前記本体部の肌側面の前記中央位置の上下方向の高さが、前記中央位置を含む前記幅方向に沿った断面での前記防漏壁部の上下方向の高さよりも低くなるように規定する高さ規定構造を有することを特徴とする吸収性物品。
【請求項２】
請求項１に記載の吸収性物品であって、
前記吸収性コアは、前記中央位置の部分よりも前記液体吸収性素材の坪量（ｇ／ｍ２）が大きい高坪量部を、前記高さ規定構造として有し、
前記高坪量部は、前記中央位置の部分を囲む環状に設けられていることを特徴とする吸収性物品。
【請求項３】
請求項２に記載の吸収性物品であって、
前記本体部は、当該本体部の前記肌側面から前記防漏壁部が起立し始める起立開始位置を有し、
前記高さ規定構造として、前記起立開始位置が前記本体部における前記高坪量部に対応する位置に設定されていることを特徴とする吸収性物品。
【請求項４】
請求項３に記載の吸収性物品であって、
前記高坪量部は、前記吸収性コアにおける前記中央位置の部分よりも前記厚さ方向の肌側に突出していることを特徴とする吸収性物品。
【請求項５】
請求項１乃至４の何れかに記載の吸収性物品であって、
前記本体部の前記肌側面には、前記高さ規定構造として、前記厚さ方向の肌側から前記表面シート及び前記吸収性コアの両者を一緒に圧搾してなる圧搾部がへこんで形成されていることを特徴とする吸収性物品。
【請求項６】
請求項５に記載の吸収性物品であって、
前記圧搾部として、前記本体部のうちで前記中央位置の部分に設けられた第１圧搾部と、前記本体部のうちで前記中央位置の部分よりも前記長手方向の端側の部分に設けられた第２圧搾部と、を有し、
前記第１圧搾部は、前記長手方向に沿って設けられており、
前記第２圧搾部は、前記幅方向に一対並んで設けられているとともに、前記第２圧搾部は、前記長手方向の中央側から端側へ向かうに従って前記幅方向の中央側から端側へ向かうように設けられていることを特徴とする吸収性物品。
【発明の詳細な説明】
【技術分野】
【０００１】
本発明は、尿を吸収すべく下着又は使い捨ておむつに取り付けて使用される尿取りパッドなどの吸収性物品に関する。
【背景技術】
【０００２】
従来、尿を吸収する吸収性物品として使い捨ておむつが使用されている。このおむつは、その本体部として、パルプ繊維等の液体吸収性素材で形成された吸収性コアと、吸収性コアを厚さ方向の肌側から覆う液透過性の表面シートと、同コアを非肌側から覆う液不透過性の裏面シートと、を有している。また、おむつの展開形状は、長手方向と幅方向と厚さ方向とを有した略砂時計形状をなしている。すなわち、長手方向の中央部が幅方向にくびれた形状をなしている。そして、くびれた部分が股下部として着用者の股間にあてがわれ、股下部よりも長手方向の前側部分が前身頃として着用者の下腹部にあてがわれ、股下部よりも長手方向の後側部分が後身頃として着用者の臀部にあてがわれて、これにより、着用者の下半身に装着される。そして、通常は、おむつを装着したら、その上に直接ズボンやスカート等の衣類を履くようになっており、つまり、かかるおむつは、パンツ等の下着の代わりに使用される。
【０００３】
また、一般に、同おむつの本体部における幅方向の各端部には、それぞれ立体ギャザーとも呼ばれる防漏壁部が設けられており、これにより、おむつの防漏性が高められている（例えば、特許文献１）。
【先行技術文献】
【特許文献】
【０００４】
【特許文献１】特開２０００−２３２９９３号公報
【発明の概要】
【発明が解決しようとする課題】
【０００５】
ところで、特に成人にあっては、おむつを履くことへの心理的抵抗は大きく、その必要性を感じながらも、おむつを使用できずにいる人もいる。  
そのため、最近では、おむつの代用品として、下着に取り付けて使用される尿取りパッドも使用されている。そして、かかる尿取りパッドであれば、その使用形態が生理用ナプキンと類似しており、つまり、同パッドを下着に取り付けてその下着を履くことにより身体に装着する。そのため、生理用ナプキンと同じような使用感で使用可能であり、おむつのときのような心理的抵抗を感じずに使用することができる。
【０００６】
なお、かかる尿取りパッド１も、上記のおむつと同じような構造を有している（例えば図１及び２Ｂを参照）。すなわち、同パッド１の本体部１ｓは、吸収性コア１１と、吸収性コア１１を肌側から覆う表面シート２１と、同コア１１を非肌側から覆う裏面シート３１とを有し、また、同本体部１ｓにおける幅方向の各端部には、それぞれ防漏壁部４０，４０が、本体部１ｓの肌側面から起立して設けられている。そして、防漏壁部４０，４０によって、本体部１ｓの肌側面に滞留する尿の外部への漏出を有効に防ぐ。
【０００７】
ここで、尿を吸収した吸収性コア１１は、吸収量に応じて膨潤して肌側に隆起する（例えば図６Ａを参照）。また、一般に、本体部１ｓのうちで幅方向及び長手方向の両方向における中央位置Ｃ１ｓが概ね排尿位置となる。そのため、特に本体部１ｓの当該中央位置Ｃ１ｓの部分１ｓｐが、肌側に大きく隆起し、そして、排尿量が多くなるに連れて、同中央位置Ｃ１ｓの部分１ｓｐの肌側への隆起量も大きくなる。従って、排尿量によっては、尿を吸収後の本体部１ｓの中央位置Ｃ１ｓの部分１ｓｐが、防漏壁部４０よりも肌側に突出する恐れがある（例えば図６Ａを参照）。すると、同中央位置Ｃ１ｓの部分１ｓｐが着用者の肌と当接して当該肌を押圧することから、尿取りパッド１は全体として肌から離れる方向に移動し、これに伴って、防漏壁部４０は肌から離間してしまう。そして、その結果、防漏壁部４０と肌との間に隙間Ｇが生じて、同隙間Ｇから尿が外部に漏出してしまう。
【０００８】
本発明は、上記のような従来の問題に鑑みてなされたものであって、その目的は、防漏壁部の防漏作用を確実に発揮させることにある。
【課題を解決するための手段】
【０００９】
上記目的を達成するための主たる発明は、
尿を吸収すべく下着又は使い捨ておむつに取り付けられて使用され、厚さ方向と幅方向と長手方向とを有する吸収性物品であって、
前記吸収性物品の本体部は、液体吸収性素材を含む吸収性コアと、前記吸収性コアよりも前記厚さ方向の肌側に設けられる液透過性の表面シートと、を有し、
前記本体部において前記表面シートよりも前記肌側には、前記本体部の前記幅方向の各端部の位置にそれぞれ防漏壁部が設けられ、
前記防漏壁部は、前記本体部のうちで前記厚さ方向の肌側を向いた面たる肌側面から起立し、
外力が作用しない無負荷状態の前記吸収性物品を、前記肌側面が上方を向くようにしつつ水平面上に静置した状態において、
前記本体部の前記幅方向及び前記長手方向の両方向における中央位置に、０．９％の重量濃度で塩が水に溶解してなる６０ｇの模擬尿を、２０ｇ／ｓｅｃの滴下速度で滴下する３回の滴下処理を、前記滴下処理同士の間に５分の時間間隔をあけるようにしながら行った場合に、
３回目の前記滴下処理が完了してから３分経過時における前記本体部の肌側面の前記中央位置の上下方向の高さが、前記中央位置を含む前記幅方向に沿った断面での前記防漏壁部の上下方向の高さよりも低くなるように規定する高さ規定構造を有することを特徴とする吸収性物品である。  
本発明の他の特徴については、本明細書及び添付図面の記載により明らかにする。
【発明の効果】
【００１０】
本発明によれば、防漏壁部の防漏作用を確実に発揮させることができる。
【図面の簡単な説明】
【００１１】
【図１】本実施形態に係る吸収性物品としての尿取りパッド１を平面に展開した状態の概略平面図である。
【図２】図２Ａは、図１中のＡ−Ａ断面図であり、図２Ｂは、図１中のＢ−Ｂ断面図であり、図２Ｃは、図１中のＣ−Ｃ断面図である。
【図３】尿取りパッド１を非肌側から見た概略平面図である。
【図４】防漏壁部４０に係る基端部４１ｂの位置を示す尿取りパッド１の概略平面図である。
【図５】図５Ａは、長手方向に四つ折りされた尿取りパッド１の概略側面図であり、図５Ｂは、三つの折り曲げ線ＬＢ１，ＬＢ２，ＬＢ３の位置を示す尿取りパッド１の概略平面図である。
【図６】図６Ａは、尿を吸収後の本体部１ｓと防漏壁部４０との厚さ方向の位置関係の好ましくない例の説明図であり、図６Ｂは、同好ましい例の説明図である。
【図７】図７Ａ乃至図７Ｃは、尿を吸収後の本体部１ｓと防漏壁部４０との位置関係が、好ましい位置関係になっているか否かを判定する方法の説明図であって、何れの図も、左図に概略側面図を示し、右図には、左図中のＲ−Ｒ断面図を示している。
【図８】図８Ａは、尿取りパッド１のうちで吸収性コア１１以外のものを透視して示す概略平面図であり、図８Ｂ及び図８Ｃは、それぞれ図８Ａ中のＢ−Ｂ断面図及びＣ−Ｃ断面図であって、吸収性コア１１のみを示す図である。
【図９】図９Ａは、吸収性コア１１における専ら中央位置Ｃ１ｓの部分１１Ｃだけが上方に高く隆起した状態の本体部１ｓの概略断面図であり、図９Ｂは、上方への隆起が高坪量部１１Ｐによって分散された状態の本体部１ｓの概略断面図である。
【図１０】尿取りパッド１の概略斜視図であって、同パッド１の本体部１ｓの中央位置Ｃ１ｓの部分１ｓｐが非肌側にへこんで、同本体部１ｓがカップ形状になった状態を示す図である。
【図１１】本実施形態に係る変形例の尿取りパッド１の説明図であって、図１中のＢ−Ｂ断面図に相当する図である。
【図１２】図１２Ａは、その他の実施形態の尿取りパッド１のうちで吸収性コア１１以外のものを透視して示す概略平面図であり、図１２Ｂ及び図１２Ｃは、それぞれ図１２Ａ中のＢ−Ｂ断面図及びＣ−Ｃ断面図であって、吸収性コア１１のみを示す図である。
【図１３】図１３Ａは、折り曲げ線を一つだけ有する尿取りパッド１を水平面Ｓｈに静置した場合の概略側面図であり、図１３Ｂは、折り曲げ線を二つだけ有する尿取りパッド１を水平面Ｓｈに静置した場合の概略側面図であり、図１３Ｃは、折り曲げ線を有さない尿取りパッド１を水平面Ｓｈに静置した場合の概略側面図である。
【発明を実施するための形態】
【００１２】
本明細書及び添付図面の記載により、少なくとも以下の事項が明らかとなる。  
尿を吸収すべく下着又は使い捨ておむつに取り付けられて使用され、厚さ方向と幅方向と長手方向とを有する吸収性物品であって、
前記吸収性物品の本体部は、液体吸収性素材を含む吸収性コアと、前記吸収性コアよりも前記厚さ方向の肌側に設けられる液透過性の表面シートと、を有し、
前記本体部において前記表面シートよりも前記肌側には、前記本体部の前記幅方向の各端部の位置にそれぞれ防漏壁部が設けられ、
前記防漏壁部は、前記本体部のうちで前記厚さ方向の肌側を向いた面たる肌側面から起立し、
外力が作用しない無負荷状態の前記吸収性物品を、前記肌側面が上方を向くようにしつつ水平面上に静置した状態において、
前記本体部の前記幅方向及び前記長手方向の両方向における中央位置に、０．９％の重量濃度で塩が水に溶解してなる６０ｇの模擬尿を、２０ｇ／ｓｅｃの滴下速度で滴下する３回の滴下処理を、前記滴下処理同士の間に５分の時間間隔をあけるようにしながら行った場合に、
３回目の前記滴下処理が完了してから３分経過時における前記本体部の肌側面の前記中央位置の上下方向の高さが、前記中央位置を含む前記幅方向に沿った断面での前記防漏壁部の上下方向の高さよりも低くなるように規定する高さ規定構造を有することを特徴とする吸収性物品である。
【００１３】
このような吸収性物品によれば、想定される如何なる排尿形態に対しても、排尿後に、本体部の中央位置よりも防漏壁部の方を着用者の肌側に位置させることができて、これにより、防漏壁部の防漏作用を確実に発揮することができる。詳しくは、次の通りである。  
先ず、上記の模擬尿の３回の滴下処理は、切迫性失禁を模擬したものである。つまり、同処理によれば、想定される最大量の模擬尿が本体部の中央位置に集中して投入され、これにより、膨潤して本体部の中央位置の高さは、想定範囲において最も高い状態になっている。一方、当該吸収性物品は、上記の高さ規定構造を有している。そして、上記の３回の滴下処理の完了後においても、当該高さ規定構造に基づいて、本体部の中央位置の上下方向の高さは、防漏壁部の高さよりも低くなるようにされている。  
従って、上記の高さ規定構造を有していれば、排尿形態の種類によらず、尿を吸収後の吸収性コアの本体部の中央位置よりも防漏壁部の方が、着用者の肌側に位置するようになる。そして、これにより、防漏壁部は、着用者の肌に確実に密着可能となって、結果、防漏壁部の防漏性を確実に発揮させることができる。
【００１４】
ちなみに、５分の時間間隔をおきながら３回の滴下処理に分けて模擬尿を滴下する理由は、本体部の中央位置に、より集中させて模擬尿を吸収させるためである。すなわち、瞬時に吸収しきれない分の模擬尿が本体部の肌側面上を滞留して四方に流れてしまうことを抑制し、そして、これにより、中央位置以外に模擬尿があまり拡散しないようにして、当該中央位置をより選択的に膨潤させるためである。そして、このようにすれば、中央位置の高さを、切迫性失禁に対応した状態、すなわち想定される最も高い状態にすることができて、結果、切迫性失禁の模擬を容易且つ確実に行うことができる。
【００１５】
かかる吸収性物品であって、
前記吸収性コアは、前記中央位置の部分よりも前記液体吸収性素材の坪量（ｇ／ｍ２）が大きい高坪量部を、前記高さ規定構造として有し、
前記高坪量部は、前記中央位置の部分を囲む環状に設けられているのが望ましい。
【００１６】
このような吸収性物品によれば、高さ規定構造として、吸収性コアは高坪量部を有している。よって、尿を吸収後の本体部の中央位置の上下方向の高さを、防漏壁部の高さよりも確実に低くすることができる。詳しくは次の通りである。
【００１７】
先ず、高さ規定構造としての高坪量部は、吸収性コアの中央位置を囲むように環状に設けられている。そのため、中央位置に排出されて主に同位置で内部へ浸透した尿を、坪量差由来の毛細管現象などに基づいて、その周囲に位置する高坪量部に速やかに拡散することができて、つまり、その周囲の高坪量部でも尿を有効に吸収することができる。よって、中央位置の部分での集中的な吸収・膨潤を抑制できて、その結果、中央位置の部分のみが選択的に肌側に高く隆起してしまう事態を防ぐことができる。すなわち、中央位置の部分だけでなく、その周囲の高坪量部も吸収に寄与させることができるので、肌側への隆起を広い範囲に分散させることができる。そして、これにより、本体部の中央位置の部分での肌側への隆起、すなわち上方への隆起の抑制を図れて、結果、同中央位置の上下方向の高さを、防漏壁部の高さよりも確実に低くすることができる。
【００１８】
かかる吸収性物品であって、
前記本体部は、当該本体部の前記肌側面から前記防漏壁部が起立し始める起立開始位置を有し、
前記高さ規定構造として、前記起立開始位置が前記本体部における前記高坪量部に対応する位置に設定されているのが望ましい。
【００１９】
このような吸収性物品によれば、高さ規定構造としての高坪量部に加えて、更に高さ規定構造として、本体部における高坪量部に対応する位置に、防漏壁部の起立開始位置が設定されている。よって、尿を吸収後の本体部の中央位置の上下方向の高さを、防漏壁部の高さよりも、より一層確実に低くすることができる。詳しくは、次の通りである。
【００２０】
先ず、尿の吸収で吸収性コアは、膨潤して肌側に隆起するが、ここで、防漏壁部の起立開始位置は、高坪量部に対応する位置に設けられている。そして、当該高坪量部の坪量は、上記の中央位置の坪量よりも大きいことから、同高坪量部の膨潤量は、中央位置の膨潤量よりも大きい。そのため、尿による膨潤後には、中央位置の肌側への移動量よりも、高坪量部の肌側への移動量の方が大きくなっており、これに伴って、当該高坪量部に対応する位置に設けられた防漏壁部も、同高坪量部の膨潤に連動しつつ、中央位置よりも大きな移動量でもって肌側たる上方に移動される。よって、尿を吸収後の本体部の中央位置の上下方向の高さを、防漏壁部の高さよりも、より一層確実に低くすることができる。
【００２１】
かかる吸収性物品であって、
前記高坪量部は、前記吸収性コアにおける前記中央位置の部分よりも前記厚さ方向の肌側に突出しているのが望ましい。
【００２２】
このような吸収性物品によれば、高坪量部の膨潤前に、既に高坪量部は、中央位置よりも肌側へ突出している。よって、この高坪量部に対応する位置に起立開始位置が設定された防漏壁部を、中央位置よりも更に肌側たる上方に位置させることができる。そして、このことも、尿を吸収後の本体部の中央位置の上下方向の高さを、防漏壁部の高さよりも低くすることに有効に寄与する。
【００２３】
かかる吸収性物品であって、
前記本体部の前記肌側面には、前記高さ規定構造として、前記厚さ方向の肌側から前記表面シート及び前記吸収性コアの両者を一緒に圧搾してなる圧搾部がへこんで形成されているのが望ましい。
【００２４】
このような吸収性物品によれば、本体部には、肌側から圧搾部が形成されており、かかる圧搾部は、高さ規制構造として機能する。すなわち、当該圧搾部は、尿を吸収後の膨潤による本体部の中央位置の肌側への隆起、すなわち上方への隆起を抑制する。よって、尿を吸収後の本体部の中央位置の上下方向の高さを、防漏壁部の高さよりも確実に低くすることができる。
【００２５】
かかる吸収性物品であって、
前記圧搾部として、前記本体部のうちで前記中央位置の部分に設けられた第１圧搾部と、前記本体部のうちで前記中央位置の部分よりも前記長手方向の端側の部分に設けられた第２圧搾部と、を有し、
前記第１圧搾部は、前記長手方向に沿って設けられており、
前記第２圧搾部は、前記幅方向に一対並んで設けられているとともに、前記第２圧搾部は、前記長手方向の中央側から端側へ向かうに従って前記幅方向の中央側から端側へ向かうように設けられているのが望ましい。
【００２６】
このような吸収性物品によれば、下着を装着した着用者から股締め力の如き幅方向の中央側を向いた力が、幅方向の両側から吸収性物品の本体部に付与されると、第１圧搾部及び第２圧搾部に基づいて、本体部は、長手方向及び幅方向の両方向における中央位置の部分が非肌側の方にへこんだカップ形状に変形する。そして、これにより、上記中央位置の部分については股間から離れるが、本体部のうちの長手方向の端部及び幅方向の各端部については、それぞれ着用者の下腹部又は臀部、股間に密着した状態になって、本体部は、股間と協同して略閉じた空間を区画する。よって、切迫性失禁などで大量の尿が一気に排出された際にも、吸収性コアで瞬時に吸収し切れない分の尿を上記空間で一時貯留しておくことができる。すなわち、吸収性コアが尿を吸収し終えるまで本体部から尿が漏出しないように、当該吸液時間分の時間稼ぎをすることができて、結果、長手方向及び幅方向からの尿の漏出を有効に防ぐことができる。
【００２７】
＝＝＝本実施形態＝＝＝
図１は、本実施形態に係る吸収性物品としての大人用の尿取りパッド１を平面に展開した状態の概略平面図である。また、図２Ａは、図１中のＡ−Ａ断面図であり、図２Ｂは、図１中のＢ−Ｂ断面図であり、図２Ｃは、図１中のＣ−Ｃ断面図である。
【００２８】
図１に示すように、尿取りパッド１は、互いに直交する三方向として長手方向と幅方向と厚さ方向とを有する。そして、尿取りパッド１の長手方向と幅方向とで規定される平面形状は、縦長形状の一例として略長方形をなしている。  
なお、以下では、厚さ方向に関して、人体に接触する側のことを「肌側」とも言い、下着に接する側のことを「非肌側」とも言う。また、長手方向のことを「前後方向」とも言い、幅方向のことを「左右方向」とも言う。なお、人体への装着時には、尿取りパッド１の長手方向の前側は、人体の腹側を向き、後側は、人体の背側を向く。また、尿取りパッド１の長手方向の寸法は、幅方向の寸法よりも長く、幅方向の寸法は厚さ方向の寸法よりも長くなっている。
【００２９】
＜＜＜尿取りパッド１の基本構成について＞＞＞
図１及び図２Ｂに示すように、尿取りパッド１は、使用時に下着に取り付けられる本体部１ｓを有する。本体部１ｓは、尿を吸収する液体吸収性素材で形成された吸収性コア１１と、吸収性コア１１を厚さ方向の肌側から覆う液透過性の表面シート２１と、同コア１１を非肌側から覆う液不透過性の裏面シート３１と、を有する。
【００３０】
吸収性コア１１は、例えば二種類の液体吸収性素材として液体吸収性繊維と液体吸収性粒状物とが混合されてなる混合物を、所定形状の一例として略矩形平板形状に成形したものである。この例では、液体吸収性繊維としてパルプ繊維を使用し、また液体吸収性粒状物として高吸収性ポリマー（以下、ＳＡＰとも言う）を用いているが、何等これに限らない。例えば前者の液体吸収性繊維として、コットン等のセルロース、レーヨン等の再生セルロース、アセテート等の半合成セルロースなどを用いても良く、また後者の液体吸収性粒状物として、ＳＡＰ以外の液体吸収性の粒状物を用いても良い。
【００３１】
また、この例では、かかる液体吸収性繊維とＳＡＰとが、１：１の配合比（重量比）で混合されているが、これ以外の配合比でも良く、更には、どちらか一方だけを含んでいても良い。また、上記の二種類の液体吸収性素材に加えて、或いはどちらか一方に代えて、別種の液体吸収性素材が混合されていても良い。また、この例では、吸収性コア１１は、ティッシュペーパー等の液透過性シートで被覆されていないが、被覆されていても良い。更に、この例では設けていないが、吸収性コア１１と表面シート２１との間に、液透過性のセカンドシートとして、適宜な不織布又はティッシュペーパー等を介挿しても良い。
【００３２】
図１及び図２Ｂに示すように、表面シート２１は、人体から排泄された尿を受け止めて速やかに厚さ方向に吸い込んで吸収性コア１１へと導くものであり、例えば吸収性コア１１の平面形状よりも大きな略長方形のシートが使用される。この表面シート２１の素材には、例えばエアスルー不織布やスパンボンド不織布等の不織布が使用され、不織布の構成繊維としては、例えばポリエチレンやポリエチレンテレフタレート等の熱可塑性樹脂繊維が用いられる。また、表面シート２１の肌側面には、厚さ方向の肌側から表面シート２１及び吸収性コア１１の両者が一緒に圧搾されてなる圧搾部Ｅが形成されており、これにより、表面シート２１と吸収性コア１１との両者は接合一体化されている。
【００３３】
図３に、尿取りパッド１を非肌側から見た概略平面図を示す。図３及び図２Ｂに示すように、裏面シート３１は、尿取りパッド１の本体部１ｓの非肌側からの尿漏れを防止する防漏シート３１であり、その平面形状は、吸収性コア１１よりも大きな略長方形形状である。すなわち、その外周縁部は、全周に亘って吸収性コア１１よりも外方にはみ出している。そして、この裏面シート３１に吸収性コア１１を載せた状態で、例えば長手方向の各端部及び幅方向の各端部にて表面シート２１と熱溶着等で接合され、これにより、裏面シート３１と表面シート２１との間に吸収性コア１１が保持されている。なお、この裏面シート３１と表面シート２１との間に吸収性コア１１が保持された状態のものが、前述した尿取りパッド１の本体部１ｓに相当する。かかる裏面シート３１の素材としては、例えばポリエチレンやポリエチレンテレフタレート等の熱可塑性樹脂を素材とするフィルムなどが使用される。
【００３４】
また、裏面シート３１の非肌側面には、下着に尿取りパッド１を移動不能に取り付けるためのずれ止め用粘着部３３，３３が形成されている。このずれ止め用粘着部３３，３３の形成は、例えば裏面シート３１の非肌側面の所定位置にホットメルト系接着剤を塗布することでなされる。
【００３５】
図１及び図２Ｂに示すように、尿取りパッド１の本体部１ｓには、幅方向の端側への尿漏れを防ぐ目的で、吸収性コア１１の幅方向の各端部に対応させて、一対の防漏壁部４０，４０が設けられている。一対の防漏壁部４０，４０は、それぞれ、撥水処理等されたＳＭＳ不織布等からなるサイドシート４１，４１によって形成されている。各サイドシート４１，４１は、長手方向に沿って表面シート２１の幅方向の各端部を肌側から覆って設けられている。そして、吸収性コア１１の幅方向の各端部に対応する位置で、表面シート２１に熱溶着等で固定されており、これにより、基端部４１ｂが形成されている。なお、この基端部４１ｂから幅方向の略中央側に延びる部分４１ｆは、自由端部分４１ｆであり、つまり当該部分４１ｆが基本的に防漏壁部４０となる。一方、同基端部４１ｂから幅方向の端側に延びる部分４１ｓは、尿取りパッド１の幅方向の端縁にまで至っており、そして、かかる部分は、表面シート２１又は裏面シート３１に重ね合わせられて、同端縁で、熱溶着等で表面シート２１又は裏面シート３１に接合されている。
【００３６】
ここで、自由端部分４１ｆには、長手方向に沿った糸ゴム等の弾性部材４５が伸長状態でホットメルト系接着剤により固定されている。よって、表面シート２１側が内周側となるように尿取りパッド１を長手方向に湾曲させると、弾性部材４５が長手方向に収縮して当該収縮力が自由端部分４１ｆに付与されるが、そうすると、自由端部分４１ｆは長手方向に収縮して表面シート２１から起立して、これにより同自由端部分４１ｆは防漏壁部４０として機能する。なお、図２Ｂの例では、自由端部分４１ｆ及び基端部４１ｂが、折り返しにより二枚重ねのサイドシート４１で構成されており、そして、自由端部分４１ｆの二枚重ねの間に弾性部材４５が介挿されているが、何等これに限らない。
【００３７】
また、図４の概略平面図中においては、基端部４１ｂをハッチングで示しているが、この例では、基端部４１ｂの幅方向の大きさは、長手方向の前端部４１ｂ１と後端部４１ｂ２とについては広く設定され、他方、これら前端部４１ｂ１と後端部４１ｂ２との間の中間部４１ｂ３については、幅方向の中央側がえぐれたように狭く設定されている。そして、これにより、防漏壁部４０の起立高さを中間部４１ｂ３にて優先的に高くして、尿の堰き止め作用の最適化を図っているが、何等これに限らない。例えば、基端部４１ｂの幅方向の大きさが、長手方向の全長に亘って一定幅とされていても良い。
【００３８】
また、図１、図２Ａ、及び図２Ｃに示すように、自由端部分４１ｆのうちの前端部４１ｆａ及び後端部４１ｆｂは、基端部４１ｂ上に伏せられた状態で、ホットメルト系接着剤等により同基端部４１ｂに接合固定されており、これにより、前端部４１ｆａ及び後端部４１ｆｂは、起立しない未起立部とされている。よって、弾性部材４５の収縮力は、専ら、自由端部分４１ｆのうちの前端部４１ｆａと後端部４１ｆｂとの間に存在する中間部分４１ｆｍのみに選択的に付与されて、当該中間部分４１ｆｍが収縮して防漏壁部４０として起立するようになっている。
【００３９】
なお、かかる尿取りパッド１は、梱包の際に、その長手方向の寸法を小さくする目的で、肌側面が内周側となるように四つ折りされる。図５Ａは、四つ折り状態の尿取りパッド１の概略側面図である。また、図５Ｂは、四つ折りするために本体部１ｓに設定された折り曲げ線ＬＢ１，ＬＢ２，ＬＢ３の位置を示す尿取りパッド１の概略平面図である。
【００４０】
図５Ｂに示すように、本体部１ｓの肌側面には、尿取りパッド１を長手方向に折り曲げるための幅方向に沿った直線状の折り曲げ線ＬＢ１，ＬＢ２，ＬＢ３が、長手方向の三つの位置に設定されている。そして、これら三つの折り曲げ線ＬＢ１，ＬＢ２，ＬＢ３のうちの一つの折り曲げ線ＬＢ３は、本体部１ｓにおける長手方向の中央位置ＣＬＬよりも前側の位置に設定されているとともに、三つの折り曲げ線ＬＢ１，ＬＢ２，ＬＢ３のうちの一つの折り曲げ線ＬＢ１は、同中央位置ＣＬＬよりも後側の位置に設定されている。
【００４１】
以下では、上記の後側の折り曲げ線ＬＢ１のことを「第１折り曲げ線ＬＢ１」とも言い、上記の前側の折り曲げ線ＬＢ３のことを「第３折り曲げ線ＬＢ３」とも言う。なお、残る一つの折り曲げ線ＬＢ２は、長手方向における第１折り曲げ線ＬＢ１と第３折り曲げ線ＬＢ３との間に位置しているが、かかる折り曲げ線ＬＢ２のことを「第２折り曲げ線ＬＢ２」とも言う。ちなみに、図５Ｂの例では、第２折り曲げ線ＬＢ２は、長手方向の中央位置ＣＬＬよりも若干後側の位置に設けられている。
【００４２】
また、この例では、第１乃至第３折り曲げ線ＬＢ１，ＬＢ２，ＬＢ３の各位置は、それぞれ、上述の防漏壁部４０に係る中間部分４１ｆｍ（図１）に含まれている。そのため、第１乃至第３折り曲げ線ＬＢ１，ＬＢ２，ＬＢ３の各位置には、防漏壁部４０の弾性部材４５の収縮力が作用している。よって、四つ折りを開いて展開後の尿取りパッド１を、そのまま外力の作用しない無負荷状態にしても、上記の収縮力に基づいて、同パッド１は、第１乃至第３折り曲げ線ＬＢ１，ＬＢ２，ＬＢ３の各位置でそれぞれ若干肌側に折れ曲がった湾曲状態になる(例えば図７Ａを参照）。
【００４３】
以上、本実施形態の尿取りパッド１の基本構成について説明してきたが、本実施形態の尿取りパッド１には、高さ規定構造が設けられており、これにより、同パッド１の本体部１ｓが尿を吸収後においても、防漏壁部４０，４０が確実に防漏作用を発揮するようになっている。以下、この高さ規定構造について説明する。
【００４４】
＜＜＜高さ規定構造について＞＞＞
高さ規定構造の説明の前に、防漏壁部４０と本体部１ｓとの厚さ方向の位置関係の好ましくない例と好ましい例との両者について説明する。図６Ａ及び図６Ｂは、それぞれ、好ましくない例及び好ましい例の説明図である。なお、どちらの図も、着用者に装着されて尿を吸収後の状態の尿取りパッド１を図１中のＢ−Ｂ矢視で示している。
【００４５】
一般に尿の吸収後には、本体部１ｓは、その吸収性コア１１の膨潤によって厚さ方向の肌側に隆起するが、ここで、図６Ａの好ましくない例の場合には、本体部１ｓのうちの隆起した部分１ｓｐの方が、防漏壁部４０よりも厚さ方向の肌側に位置してしまっている。すると、当該隆起した部分１ｓｐが肌に当接することによって、防漏壁部４０を肌から離してしまう恐れがあって、その結果、防漏壁部４０と肌との間に隙間Ｇが生じて、当該隙間Ｇから尿漏れを起こしてしまう。すなわち、この図６Ａの好ましくない例では、防漏壁部４０は、その防漏性を確実に発揮することが難しい。
【００４６】
これに対して、図６Ｂの好ましい例の場合には、尿の吸収後においても、防漏壁部４０の方が、本体部１ｓのうちの隆起した部分１ｓｐよりも、肌側に位置している。そのため、当該隆起した部分１ｓｐの肌への当接起因で防漏壁部４０が肌から離間してしまうことは有効に防止される。すなわち、防漏壁部４０は着用者の肌にしっかり密着する。よって、防漏壁部４０と肌との間の隙間Ｇの生成は確実に防がれて尿漏れを確実に防ぐことができる。すなわち、図６Ｂの好ましい例では、防漏壁部４０は、その防漏性を確実に発揮することができる。
【００４７】
ここで、本体部１ｓと防漏壁部４０との位置関係が、この好ましい例のような位置関係になっているか否かは、次の方法によって判定される。図７Ａ乃至図７Ｃは、この方法の説明図であって、何れの図にも、左図に概略側面図を示し、右図には、左図中のＲ−Ｒ断面図を示している。
【００４８】
先ず、判定対象の新品の尿取りパッド１を用意する。ここで、例えば１０個パック等のように、複数個の尿取りパッド１，１…が一つの収容袋に収容されて販売されている場合には、同収容袋から尿取りパッド１を一つだけ取り出す。また、取り出した尿取りパッド１が、包装袋（不図示）によって個別包装されている場合には、包装袋から尿取りパッド１を取り出して単体の状態にする。
【００４９】
更に、この単体の尿取りパッド１が、折り曲げ線ＬＢ１，ＬＢ２，ＬＢ３で折り畳まれている場合には、各折り曲げ線ＬＢ１，ＬＢ２，ＬＢ３の位置で尿取りパッド１を開いて展開する。例えば、この図７Ａの例では、四つ折りされているので、四つ折りに係る三つの折り曲げ線ＬＢ１，ＬＢ２，ＬＢ３で尿取りパッド１を開いて展開する。そして、この展開した状態で暫く放置する。
【００５０】
すると、防漏壁部４０に係る弾性部材４５の収縮力の作用によって、尿取りパッド１は、その肌側面が内周側となるように若干湾曲した状態となる。ここで、図７Ａのように折り曲げ線ＬＢ１，ＬＢ２，ＬＢ３を有する場合には、かかる湾曲状態は、折り曲げ線ＬＢ１，ＬＢ２，ＬＢ３で例えば鈍角に折れ曲がることよって形成される。すなわち、この例では四つ折りされているので、三つの折り曲げ線ＬＢ１，ＬＢ２，ＬＢ３で肌側に鈍角に折れ曲ることによって尿取りパッド１は全体として湾曲状になっている。そして、尿取りパッド１のうちで折り曲げ線ＬＢ１，ＬＢ２，ＬＢ３以外の部分は、概ね平坦な状態となっている。例えば、本体部１ｓのうちで第１折り曲げ線ＬＢ１よりも後側の部分１ｓｂは、略平坦な状態とされており、また、本体部１ｓのうちで第１折り曲げ線ＬＢ１と第２折り曲げ線ＬＢ２との間の部分１ｓｍ１も、略平坦な状態とされており、また、本体部１ｓのうちで第２折り曲げ線ＬＢ２と第３折り曲げ線ＬＢ３との間の部分１ｓｍ２も、略平坦な状態とされており、更に、本体部１ｓのうちで第３折り曲げ線ＬＢ３よりも前側の部分１ｓａも略平坦な状態とされている。
【００５１】
そして、尿取りパッド１に一切の外力が作用しない無負荷状態においては、この湾曲状態は概ね維持され、また、各折り曲げ線ＬＢ１，ＬＢ２，ＬＢ３では概ね鈍角で折れ曲がっていることから、同湾曲状態では、尿取りパッド１の肌側面は、互いに重なり合わずに、概ね外部に露出した状態となっている。
【００５２】
そうしたら、図７Ａに示すように、この無負荷状態の尿取りパッド１を、その肌側面が上方を向くようにしつつ水平面Ｓｈ上に静置する。ここで、この静置の際には、尿取りパッド１の本体部１ｓの非肌側面が、本体部１ｓのうちの幅方向及び長手方向の両方における中央位置Ｃ１ｓにて上記水平面Ｓｈに当接した状態にされる。より詳しくは、この図７Ａの例では、当該中央位置Ｃ１ｓは、本体部１ｓのうちで第３折り曲げ線ＬＢ３と第２折り曲げ線ＬＢ２との間の部分１ｓｍ２に位置している。そのため、かかる部分１ｓｍ２が、水平面Ｓｈに当接した状態とされる。そして、これに伴って、それ以外の部分１ｓａ，１ｓｍ１，１ｓｂ、すなわち、第３折り曲げ線ＬＢ３よりも前側の部分１ｓａ及び第２折り曲げ線ＬＢ２よりも後側の部分１ｓｍ１，２ｓｂは、それぞれ水平面Ｓｈから浮いた状態とされる。
【００５３】
そうしたら、かかる静置状態の本体部１ｓの上方に、模擬尿滴下用のチューブ部材７０を配置する。チューブ部材７０の口部の内径は６ｍｍであり、かかる口部が下方を向くようにチューブ部材７０は配される。そして、かかるチューブ部材７０の口部から、静置状態の本体部１ｓに向けて、上方から模擬尿を滴下する。
【００５４】
ここで、模擬尿は、０．９％の重量濃度で塩が水に溶解した水溶液であり、模擬尿の滴下目標位置は、本体部１ｓの上記中央位置Ｃ１ｓである。また、模擬尿の滴下は、３回に分けて行われ、１回の滴下処理につき６０ｇの模擬尿を２０ｇ／ｓｅｃの滴下速度で滴下する。なお、滴下処理同士の間には、５分の時間間隔をあけるようにする。
【００５５】
そして、３回目の滴下処理が完了してから３分経過時に、図７Ｂに示すように、上記水平面Ｓｈからの本体部１ｓの肌側面（表面シート２１の肌側面たる上面）の上下方向の高さＨＣ１ｓと、同水平面Ｓｈからの防漏壁部４０の上下方向の高さＨ４０とを比較する。
【００５６】
ここで、当該高さＨＣ１ｓ，Ｈ４０を比較する対象位置としては、本体部１ｓについては、模擬尿を滴下した上記中央位置Ｃ１ｓであり、他方、防漏壁部４０については、上記中央位置Ｃ１ｓを含む幅方向に沿った断面での位置である。
【００５７】
そして、かかる比較の結果、図７Ｂに示すように本体部１ｓの高さＨＣ１ｓ方が、防漏壁部４０の高さＨ４０よりも低ければ、上述の好ましい例（図６Ｂ）の位置関係になっていると判定し、逆に、本体部１ｓの高さＨＣ１ｓの方が、防漏壁部４０の高さＨ４０よりも高ければ、上述の好ましくない例（図６Ａ）の位置関係になっていると判定する。
【００５８】
ちなみに、防漏壁部４０，４０は一対、すなわち二つ有る。そのため、かかる一対の防漏壁部４０，４０のうちの少なくとも一方の防漏壁部４０の高さＨ４０よりも、本体部１ｓの高さＨＣ１ｓ方が低ければ、上述の好ましい例（図６Ｂ）の位置関係にあると判定しても良いが、望ましくは、一対の防漏壁部４０，４０の両方の高さＨ４０よりも、本体部１ｓの高さＨＣ１ｓ方が低い場合に、上述の好ましい例の位置関係にあると判定すると良い。
【００５９】
図７Ｃは、この高さＨＣ１ｓ，Ｈ４０の比較処理を簡単に行える方法例の説明図である。すなわち、この方法の場合には、先ず、無負荷状態の尿取りパッド１を、水平面Ｓｈ上に静置するとともに、水平な下面を有した板部材８０を、尿取りパッド１の本体部１ｓの中央位置Ｃ１ｓの上方に配置する。次に、同板部材８０を同中央位置Ｃ１ｓに向けて１００（ｍｍ／分）の速度で下降させる。そして、板部材８０の下面が、同本体部１ｓの中央位置Ｃ１ｓよりも一対の防漏壁部４０，４０の方に先に当接した場合には、好ましい例であると判定し、逆の場合には、好ましくない例であると判定する。
【００６０】
ちなみに、板部材８０の平面形状は、長辺と短辺とを有する長方形形状であり、長辺を、尿取りパッド１の幅方向に平行にしつつ、短辺を尿取りパッド１の長手方向に平行にして配される。そして、板部材８０の長辺の寸法は、尿取りパッド１の一対の防漏壁部４０，４０同士の間の間隔よりも長い任意の寸法とされ、また、同短辺の寸法は１０ｍｍとされている。
【００６１】
ところで、上記の模擬尿の３回の滴下処理は、切迫性失禁を模擬したものである。つまり、同３回の滴下処理によれば、想定される最大量の模擬尿が本体部１ｓの中央位置Ｃ１ｓに集中して投入され、これにより、膨潤して本体部１ｓの中央位置Ｃ１ｓの高さＨＣ１ｓは、想定範囲において最も高い状態とされている。よって、当該３回の滴下処理後の上記の比較処理において、上記の好ましい例と判定された場合には、その尿取りパッド１に対して如何なる排尿形態で排尿しても、同パッド１の防漏壁部４０は、尿を吸収後の本体部１ｓの中央位置Ｃ１ｓよりも着用者の肌側に位置するようになる。そして、これにより、防漏壁部４０は、着用者の肌に確実に密着可能となって、結果、その防漏性を確実に発揮することができる。
【００６２】
ちなみに、５分の時間間隔をあけながら３回の滴下処理に分けて模擬尿を滴下する理由は、本体部１ｓの中央位置Ｃ１ｓに、より集中させて模擬尿を吸収させるためである。すなわち、瞬時に吸収しきれない分の模擬尿が本体部１ｓの肌側面上を滞留して四方に流れてしまうことを抑制し、そして、これにより、中央位置Ｃ１ｓ以外に模擬尿があまり拡散しないようにして、当該中央位置Ｃ１ｓをより選択的に膨潤させるためである。そして、このようにすれば、本体部１ｓの中央位置Ｃ１ｓの高さＨＣ１ｓを、切迫性失禁の際になり得る高さ、すなわち想定される最も高い高さにすることができて、結果、切迫性失禁の模擬を容易且つ確実に行うことができる。
【００６３】
ここで、本実施形態では、上述のような位置関係、すなわち「模擬尿を吸収後の本体部１ｓの中央位置Ｃ１ｓの上下方向の高さＨＣ１ｓが防漏壁部４０の高さＨ４０よりも低い」という位置関係を、尿取りパッド１が具備する高さ規定構造によって実現している。そして、この例では、互いに種類の異なる三つの高さ規定構造を有しており、以下、各高さ規定構造について説明する。
【００６４】
（１）第１の高さ規定構造について
第１の高さ規定構造は、吸収性コア１１が具備している。図８Ａは、尿取りパッド１のうちで吸収性コア１１以外のものを透視して示す概略平面図である。また、図８Ｂ及び図８Ｃは、それぞれ図８Ａ中のＢ−Ｂ断面図及びＣ−Ｃ断面図であり、どちらの図も吸収性コア１１のみを示している。
【００６５】
既述のように吸収性コア１１の平面形状は略長方形であるが、ここで、図８Ａ乃至図８Ｃに示すように、この吸収性コア１１は、所定の坪量分布パターンに基づいて液体吸収性素材が、厚さ方向に積層されて形成されている。そして、この坪量分布パターンに基づいて積層形成された吸収性コア１１は、上記の中央位置Ｃ１ｓの部分１１Ｃよりも液体吸収性素材の坪量が大きい部分１１Ｐを高坪量部１１Ｐとして有しており、そして、かかる高坪量部１１Ｐは、上記中央位置Ｃ１ｓの部分１１Ｃを囲む環状に設けられている。詳しくは、この例では、高坪量部１１Ｐは、吸収性コア１１の外周縁部の全周に亘って略額縁状に設定されており、更に言い換えると、吸収性コア１１の外周縁部の坪量は、当該外周縁部に囲まれた中央位置Ｃ１ｓの部分１１Ｃの坪量よりも大きく設定されている。  
そして、この高坪量部１１Ｐが、第１の高さ規定構造として機能する。すなわち、かかる高坪量部１１Ｐを有していれば、尿を吸収後の本体部１ｓの中央位置Ｃ１ｓの部分１ｓｐの上下方向の高さＨＣ１ｓを、防漏壁部４０の高さＨ４０よりも低くすることができる。詳しくは次の通りである。
【００６６】
先ず、第１の高さ規定構造としての高坪量部１１Ｐは、吸収性コア１１の中央位置Ｃ１ｓの部分１１Ｃを囲むように環状に設けられている。そのため、主に中央位置Ｃ１ｓの部分１１Ｃに排出されて主に同部分１１Ｃで内部へ浸透した尿を、坪量差由来の毛細管現象などに基づいて、その周囲に位置する高坪量部１１Ｐに速やかに拡散することができる。つまり、その周囲の高坪量部１１Ｐでも尿を有効に吸収することができる。よって、中央位置Ｃ１ｓの部分１１Ｃでの集中的な吸収・膨潤を抑制できて、その結果、図９Ａのように専ら中央位置Ｃ１ｓの部分１１Ｃだけが肌側に高く隆起してしまう事態を防ぐことができる。すなわち、図９Ｂに示すように、中央位置Ｃ１ｓの部分１１Ｃだけでなく、その周囲の高坪量部１１Ｐも吸収に寄与させることができるので、肌側への隆起を広い範囲に分散させることができる。そして、これにより、本体部１ｓの中央位置Ｃ１ｓの部分１ｓｐでの肌側への隆起、すなわち上方への隆起の抑制を図れて、結果、尿の吸収後においても、同中央位置Ｃ１ｓの部分１ｓｐの上下方向の高さＨＣ１ｓを、防漏壁部４０の高さＨ４０よりも低くすることができる。
【００６７】
ここで、望ましくは、図８Ａ乃至図８Ｃの高坪量部１１Ｐの坪量は、当該高坪量部１１Ｐで囲まれた中央位置Ｃ１ｓの部分１１Ｃの坪量の１．２〜４．０倍に設定されると良い。そして、このように設定されていれば、次のような問題を有効に回避可能となる。  
先ず１．２倍未満の場合には、中央位置Ｃ１ｓの部分１１Ｃにて内部に浸透した尿が、高坪量部１１Ｐの方へと拡散し難くなってしまい、中央位置Ｃ１ｓの部分１１Ｃの隆起が抑制され難くなるという問題を生じ、また、４．０倍を超える場合には、高坪量部１１Ｐと中央位置Ｃ１ｓの部分１１Ｃとの間の剛性差が大きくなって尿取りパッド１の着用時に違和感を感じ易くなるという問題を生じるが、上記のように１．２〜４．０倍に設定されていれば、これらの問題を回避することができる。
【００６８】
ちなみに、具体的数値で言えば、例えば、高坪量部１１Ｐの坪量は、５５０〜８５０（ｇ／ｍ２）の範囲に設定され、高坪量部１１Ｐに囲まれた中央位置Ｃ１ｓの部分１１Ｃの坪量は、２００〜５００（ｇ／ｍ２）の範囲に設定される。
【００６９】
（２）第２の高さ規定構造について
第２の高さ規定構造は、吸収性コア１１の高坪量部１１Ｐと防漏壁部４０とが協同することで形成されている。以下、詳説する。  
先ず、図８Ａ乃至図８Ｃに示すように、高坪量部１１Ｐは、平面視略長方形の吸収性コア１１の四辺に沿って略額縁状に形成されている。すなわち、高坪量部１１Ｐは、吸収性コア１１の幅方向の各端部に位置されつつ、長手方向に沿って平行に設けられた一対の第１高坪量部分１１Ｐ１，１１Ｐ１と、長手方向の各端部に位置されつつ、幅方向に沿って平行に設けられた一対の第２高坪量部分１１Ｐ２，１１Ｐ２と、を有している。
【００７０】
一方、図４に示すように、防漏壁部４０が表面シート２１から起立し始める起立開始位置４１ｂｅは、防漏壁部４０に係る基端部４１ｂのうちで幅方向の中央側の縁部４１ｂｅの位置となっているが、ここで、この起立開始位置４１ｂｅは、高坪量部１１Ｐの第１高坪量部分１１Ｐ１に対応する位置に設定されている。詳しくは、第１高坪量部分１１Ｐ１の肌側面１１Ｐ１ｔ上に起立開始位置４１ｂｅが位置するように位置合わせしながら、防漏壁部４０の基端部４１ｂが表面シート２１に固定されている。
【００７１】
そして、この「第１高坪量部分１１Ｐ１の肌側面１１Ｐ１ｔに防漏壁部４０の起立開始位置４１ｂｅが設定されている」という構成が、第２の高さ規定構造に相当する。すなわち、かかる構成によっても、尿を吸収後の本体部１ｓの中央位置Ｃ１ｓの部分１ｓｐの上下方向の高さＨＣ１ｓを、防漏壁部４０の高さＨ４０よりも低くすることができる。詳しくは次の通りである。
【００７２】
先ず、尿の吸収で吸収性コア１１は、膨潤して肌側に隆起するが、ここで、図４に示すように、防漏壁部４０の起立開始位置４１ｂｅは、第１高坪量部分１１Ｐ１の肌側面１１Ｐ１ｔに設けられている。そして、図８Ａ及び図８Ｂに示すように、当該第１高坪量部分１１Ｐ１の坪量は、上記の中央位置Ｃ１ｓの部分１１Ｃの坪量よりも大きいことから、同第１高坪量部分１１Ｐ１の膨潤量は、中央位置Ｃ１ｓの部分１１Ｃの膨潤量よりも大きい。そのため、図９Ｂに示すように、尿による膨潤後には、中央位置Ｃ１ｓの部分１１Ｃの肌側への移動量よりも、第１高坪量部分１１Ｐ１の肌側への移動量の方が大きくなっており、これに伴って、当該第１高坪量部分１１Ｐ１の肌側面１１Ｐ１ｔ上の防漏壁部４０も、第１高坪量部分１１Ｐ１の膨潤に連動しつつ、中央位置Ｃ１ｓの部分１１Ｃよりも大きな移動量でもって肌側たる上方に移動される。よって、尿を吸収後の本体部１ｓの中央位置Ｃ１ｓの部分１ｓｐの上下方向の高さＨＣ１ｓを、防漏壁部４０の高さＨ４０よりも低くすることができる。
【００７３】
また、かかる高坪量部１１Ｐは、その周辺の部分よりも坪量が高いことに基づいて、図８Ａ乃至図８Ｃに示すように、同周辺の部分よりも厚さ方向の肌側に突出している。そして、このことから、前述の防漏壁部４０の起立開始位置４１ｂｅ（図４）が設定される第１高坪量部分１１Ｐ１についても肌側に突出している。
【００７４】
従って、この第１高坪量部分１１Ｐ１に対応する位置に起立開始位置４１ｂｅが設定された防漏壁部４０を、尿の吸収前の時点から、本体部１ｓの中央位置Ｃ１ｓの部分１ｓｐよりも更に肌側たる上方に位置させることができる。そして、このことも、尿を吸収後の本体部１ｓの中央位置Ｃ１ｓの部分１ｓｐの上下方向の高さＨＣ１ｓを、防漏壁部４０の高さＨ４０よりも低くすることに有効に寄与する。
【００７５】
なお、上記のように、第１高坪量部分１１Ｐ１の平面形状は、長手方向に平行な帯状であり、また、第２高坪量部分１１Ｐ２の平面形状は、幅方向に平行な帯状である。つまり、第１高坪量部分１１Ｐ１及び第２高坪量部分１１Ｐ２のどちらも、それぞれ、肌側へ突出した形状に由来して、頂面として帯状の略平坦な肌側面１１Ｐ１ｔ，１１Ｐ２ｔを有しているが、ここで、各肌側面１１Ｐ１ｔ，１１Ｐ２ｔの幅寸は、例えば１０ｍｍ以上に設定されている。そして、このように設定されていれば、高坪量部１１Ｐまで到達した尿を、高坪量部１１Ｐの突出形状に基づいて確実に堰き止めることができる。
【００７６】
また、図８Ｂ及び図８Ｃに示す高坪量部１１Ｐの突出高さＬ１１Ｐは、望ましくは０．５ｍｍ〜５ｍｍの範囲に設定され、より望ましくは、１．５ｍｍ〜３ｍｍの範囲に設定され、この例では、２．０ｍｍを目標値として設定されている。そして、このような範囲に設定されていれば、０．５ｍｍ未満の場合に起こり得る問題、すなわち、吸収前の尿を一時的に保管する空間ＳＰ１１の不足の問題を解決でき、また５．０ｍｍを超える場合に起こり得る問題、すなわち、着用者の肌と接触したときの違和感の問題を解決することができる。
【００７７】
ちなみに、本実施形態では、高坪量部１１Ｐの全周に亘って、高坪量部１１Ｐの突出高さＬ１１Ｐを一定にしているが、何等これに限らず、高坪量部１１Ｐの突出高さＬ１１Ｐを場所に応じて異ならせても良い。また、上記の突出高さＬ１１Ｐとは、高坪量部１１Ｐに一切の外力が作用しない無負荷状態での高さのことであるが、このことは、上記の高坪量部１１Ｐの幅寸についても同様である。
【００７８】
（３）第３の高さ規定構造について
以前に図１及び図２Ｂを参照しながら、本体部１ｓには肌側から圧搾部Ｅが形成されている旨を述べたが、かかる圧搾部Ｅが、第３の高さ規定構造として機能する。  
すなわち、この図１の例では、かかる圧搾部Ｅの一種として、第１圧搾部Ｅ１が、本体部１ｓの中央位置Ｃ１ｓの部分１ｓｐに、長手方向に沿った直線状に形成されている。そして、かかる第１圧搾部Ｅ１により、尿の膨潤による本体部１ｓの中央位置Ｃ１ｓの部分１ｓｐの肌側への隆起、すなわち上方への隆起が抑制されて、その結果、尿を吸収後の本体部１ｓの中央位置Ｃ１ｓの部分１ｓｐの上下方向の高さＨＣ１ｓを、防漏壁部４０の高さＨ４０よりも低くすることができる。
【００７９】
なお、この図１の例では、第１圧搾部Ｅ１は、長手方向に長い複数（例えば三つ）の溝部Ｈ１，Ｈ１，Ｈ１を有し、各溝部Ｈ１は、長手方向に隣り合う溝部Ｈ１との間に間隔をあけた状態に形成されているが、何等これに限らない。例えば、第１圧搾部Ｅ１は、長手方向に連続した一条の溝部であっても良い。
【００８０】
また、図１では、詳細には図示していないが、第１圧搾部Ｅ１の溝部Ｈ１は、深さが互いに異なる深部と浅部とを有している。しかし、何等これに限らない。すなわち、溝部Ｈ１の深さが、全長に亘って一定であっても良い。また、場合によっては、第１圧搾部Ｅ１が複数の島状のへこみ部で形成され、そして、各へこみ部の底面の形状が、円形や矩形であっても良い。なお、これについては、この後で説明する第２圧搾部Ｅ２についても同様である。
【００８１】
また、望ましくは、図１の例のように、本体部１ｓのうちで高坪量部１１Ｐに囲まれた部分の長手方向の各端部に、第２圧搾部Ｅ２，Ｅ２が幅方向に一対並んで形成され、そして、各第２圧搾部Ｅ２が、長手方向の中央側から端側へ向かうに従って幅方向の中央側から端側へ向かうように設けられていると良い。なお、この例では、第２圧搾部Ｅ２は、全長に亘って一本の連続した溝部の形態で形成されている。
【００８２】
そして、このような第２圧搾部Ｅ２が形成されていれば、尿の膨潤による本体部１ｓの肌側たる上方への隆起をより一層抑制可能となる。  
また、下着を装着した着用者から股締め力の如き幅方向の中央側を向いた力Ｆが、幅方向の両側から尿取りパッド１の本体部１ｓに付与された際に、第１圧搾部Ｅ１と第２圧搾部Ｅ２とが互いに協同することにより、本体部１ｓは、図１０の概略斜視図に示すようなカップ形状に変形する。すなわち、本体部１ｓの中央位置Ｃ１ｓの部分１ｓｐが非肌側にへこんだ形状になる。そして、これにより、当該中央位置Ｃ１ｓの部分１ｓｐについては股間から離れるが、本体部１ｓのうちの長手方向の各端部１ｓＬｅ，１ｓＬｅ及び幅方向の各端部１ｓＷｅ，１ｓＷｅについては、それぞれ着用者の下腹部、臀部、及び股間に密着した状態になる。すなわち、本体部１ｓは、股間と協同して略閉じた空間を区画する。よって、当該空間に、切迫性失禁などで吸収性コア１１が瞬時に吸収し切れない分の尿を確実に一時貯留することができる。
【００８３】
ちなみに、上記の第１圧搾部Ｅ１及び第２圧搾部Ｅ２に基づいて、本体部１ｓが図１０の如きカップ形状になり易い理由は、次の通りである。  
先ず、下着に取り付けられた尿取りパッド１の本体部１ｓに、着用者の股間から幅方向の中央側を向いた力Ｆ（図１）が、幅方向の両側から作用すると、図１０に示すように、本体部１ｓは、第１圧搾部Ｅ１に起因して上記の中央位置Ｃ１ｓの部分１ｓｐで非肌側にへこむように谷折りになる。  
一方、当該中央位置Ｃ１ｓの部分１ｓｐよりも長手方向の端側の各部分には、それぞれ一対の第２圧搾部Ｅ２，Ｅ２が設けられているが、当該一対の第２圧搾部Ｅ２，Ｅ２は、その略Ｖ字形状に基づいて、長手方向の端側に向かうに従って第２圧搾部Ｅ２，Ｅ２同士の間隔が徐々に開いている。そのため、これら各部分では、第１圧搾部Ｅ１起因の谷折りの影響が、長手方向の端側に向かうに従って徐々に緩和されていき、これにより、一対の第２圧搾部Ｅ２，Ｅ２よりも長手方向の端側の部分たる端部１ｓＬｅ，１ｓＬｅは、概ね長手方向と幅方向とで規定される平面に沿った平面状になる。そして、その結果として、本体部１ｓの長手方向の各端部１ｓＬｅ，１ｓＬｅ及び幅方向の各端部１ｓＷｅ，１ｓＷｅについては、それぞれ着用者の下腹部、臀部、及び股間に密着しつつ、本体部１ｓの中央位置Ｃ１ｓの部分１ｓｐについては股間から離れた形状に本体部１ｓは変形する。つまり、本体部１ｓは、カップ形状になる。
【００８４】
＜＜＜尿取りパッド１の製造方法について＞＞＞
このような尿取りパッド１は、適宜な製造装置によって、例えば次のようにして製造される。  
先ず、積繊装置によって吸収性コア１１が生成される。詳しくは、積繊装置は、例えば上面を搬送面として搬送対象物を吸着しながら搬送するサクションベルトコンベアと、その上方に配されて回転する回転ドラムと、を有する。
【００８５】
回転ドラムは、外周面にへこみ部を有し、へこみ部は、液体吸収性素材を吸着する吸着機能を有する。また、へこみ部の底部には、更に深いへこみ部が、上記の吸収性コア１１の高坪量部１１Ｐに対応して形成されている。よって、適宜なダクトから散布される液体吸収性素材を、この外周面のへこみ部が吸着して堆積することにより、上述の環状の高坪量部１１Ｐを有した吸収性コア１１が生成される。そして、生成された吸収性コア１１は、サクションベルトコンベアによって、搬送方向の下流側へ送られる。
【００８６】
搬送方向の下流側の所定位置では、一対のサイドシート４１の連続体が組み付けられた表面シート２１の連続体が上方から合流する。すなわち、表面シート２１の連続体の幅方向の両側には、それぞれ各サイドシート４１の連続体が熱溶着等で固定されており、また、各サイドシート４１の連続体には、既に伸長状態の弾性部材４５，４５…が固定されている。そして、このような表面シート２１の連続体によって吸収性コア１１は上方から覆われた状態になる。そして、その後は、かかる吸収性コア１１と表面シート２１とが一体となって搬送方向に搬送されて、これにより、搬送方向の下流側のエンボスロール装置へと送られる。
【００８７】
エンボスロール装置は、例えば回転する上下一対のロールを有し、そのうちの上ロールの外周面には、第１圧搾部Ｅ１等の圧搾部Ｅに対応した形状の突起部が設けられている。よって、エンボスロール装置を通過する際に、表面シート２１の連続体と吸収性コア１１との両者には圧搾部Ｅが形成され、そして、更に搬送方向の下流側へ送られる。
【００８８】
搬送方向の下流側の所定位置では、下方から裏面シート３１の連続体が合流する。そして、吸収性コア１１を介して表面シート２１の連続体を裏面シート３１の連続体上に載置することにより、表面シート２１の連続体と裏面シート３１の連続体との間に吸収性コア１１が介挿された状態にし、かかる状態のまま、その下流のラウンドシール装置へと送られる。  
ちなみに、この時点では、既に裏面シート３１の非肌側面には、ホットメルト系接着剤が塗布などされていて、これにより、ずれ止め用粘着部３３，３３が形成済みである。また、かかるずれ止め用粘着部３３，３３の粘着性を保護する目的で、同粘着部３３，３３は剥離シート等の保護シートで覆われている。
【００８９】
ラウンドシール装置は、例えば回転する上下一対のロールを有し、そのうちの上ロールの外周面には、尿取りパッド１の輪郭形状に対応した形状の突起部が設けられている。よって、ラウンドシール装置を通過する際に、表面シート２１の連続体と裏面シート３１の連続体との両者は、尿取りパッド１における長手方向の各端部及び幅方向の各端部に相当する位置で互いに熱溶着等で接合される。そして、これにより、尿取りパッド１の連続体が生成され、かかる尿取りパッド１の連続体は、更に搬送方向の下流側のダイカッター装置へと送られる。
【００９０】
ダイカッター装置は、回転する一対のロールを有し、そのうちの一方のロールの外周面には、尿取りパッド１の輪郭形状に対応した形状の抜き刃を有している。よって、尿取りパッド１の連続体がダイカッター装置を通過する際に、抜き刃によって尿取りパッド１の連続体から尿取りパッド１が個別に打ち抜かれて、これにより、単票状の尿取りパッド１が生成される。
【００９１】
そして、最後に単票状の尿取りパッド１は四つ折りされるが、この四つ折りされる前の時点では、尿取りパッド１は、所謂縦流れ搬送されている。すなわち、尿取りパッド１の長手方向が搬送方向を向いた状態で搬送されている。そのため、四つ折り処理に対する予備処理として、先ず、尿取りパッド１の搬送形態を、横流れ搬送に変更する。すなわち、尿取りパッド１の幅方向が搬送方向を向くように９０°回転される。かかる９０°回転処理は、回転可能な保持パッドを外周面に有する回転ドラム装置によって行われる。そして、保持パッドの９０°回転によって横流れ搬送に変更された尿取りパッド１は、横流れ搬送されたまま、サクションベルトコンベアへと引き渡される。  
ここで、同コンベア上には、尿取りパッド１の各折り曲げ線ＬＢ１，ＬＢ２，ＬＢ３にそれぞれ対応させて折り畳み板が配置されており、これら折り畳み板を通過する際に、各折り畳み板によって順次各折り曲げ線ＬＢ１，ＬＢ２，ＬＢ３で折り畳まれて、その結果、尿取りパッド１は四つ折り状態となる。
【００９２】
ちなみに、ここでは説明を省略したが、この四つ折り処理の直前で、包装シートの連続体を合流させて、同包装シートの連続体で、尿取りパッド１を非肌側面から覆うようにし、この包装シートの連続体ごと尿取りパッド１を上記の各折り畳み板で四つ折りする。そして、しかる後に、搬送方向の下流のエンドシール装置へと送られる。
【００９３】
エンドシール装置は、回転する一対のロールを有し、そのうちの一方のロールの外周面には、突起部が設けられている。そして、包装シートの連続体のうちの尿取りパッド１，１同士の間の部分がエンドシール装置を通過する際に、当該部分が上記の突起部によって挟圧されて熱溶着され、これにより、尿取りパッド１，１同士の間の部分に仕切り部が形成され、その結果、各尿取りパッド１は包装シートの連続体に個別収容された状態になる。そして、搬送方向の下流のエンドカット装置へと送られる。
【００９４】
エンドカット装置は、回転する一対のロールを有し、そのうちの一方のロールの外周面には、カッター刃が設けられている。よって、エンドシール装置を通過する際に、包装シートの連続体は、上記エンドシール装置で熱溶着された部分たる上記仕切り部で分断されて、これにより、四つ折り状態の尿取りパッド１が個別包装されてなる尿取りパッド１の個別包装体が生成される。
【００９５】
＜＜＜尿取りパッド１の変形例について＞＞＞
図１１は、本実施形態の変形例の尿取りパッド１の説明図である。なお、同図１１は、図１中のＢ−Ｂ断面図に相当する図である。  
上述の実施形態の吸収性コア１１の構造は、吸収性コア１１を一つだけ有した単層構造であったが、この点につき、この変形例の吸収性コア１１の構造は、図１１に示すように、厚さ方向に複数の一例としての二つの吸収性コア１１，１１が重ね合わせられてなる二層構造である点で相違する。なお、これ以外の点は、上述の実施形態と概ね同じである。よって、以下では、上述の実施形態と同じ構成については同じ符号を付して、その説明については省略する。
【００９６】
図１１に示すように、二つの吸収性コア１１，１１の各平面形状は、互いにほぼ同形であり、また、どちらの吸収性コア１１，１１も、その外周縁部の全周に亘って環状の高坪量部１１Ｐを有し、当該環状の高坪量部１１Ｐは、厚さ方向の肌側に突出している。そして、互いの外周縁部同士が重なるように位置合わせされながら、二つの吸収性コア１１，１１は、厚さ方向に重ね合わせられている。なお、ティッシュペーパー等の液透過性シートで被覆される場合には、これら二つの吸収性コア１１，１１が重なった状態で二つ一緒に同シートに覆われる。
【００９７】
そして、かかる変形例によれば、高坪量部１１Ｐの吸液可能容量を高く確保しながら、着用時の高坪量部１１Ｐの肌側への突出起因の違和感についても抑制することができる。詳しくは次の通りである。高坪量部１１Ｐの突出高さＬ１１Ｐが高い場合には、高坪量部１１Ｐが着用者の股間に強く当たるなどして、着用者は違和感を感じ易い。一方、高坪量部１１Ｐの突出高さＬ１１Ｐを低くすると、高坪量部１１Ｐの吸液可能容量が低くなる恐れがある。ここで、着用時に股間に当たるのは、最も肌側に位置する吸収性コア１１だけである。よって、各吸収性コア１１，１１の高坪量部１１Ｐの突出高さＬ１１Ｐを例えば半分に低くしながら、当該高坪量部１１Ｐを低くした吸収性コア１１，１１を厚さ方向に二つ重ね合わせれば、高坪量部１１Ｐ，１１Ｐの突出高さＬ１１Ｐの合計値で概ね決まる吸液可能容量を高く維持しながら、一つの吸収性コア１１の高坪量部１１Ｐの突出高さＬ１１Ｐで概ね決まる股間の違和感を抑制することができる。
【００９８】
ちなみに、この変形例では、液体吸収性素材の坪量の分布パターンを二つの吸収性コア１１，１１同士で互いに同じにしているが、何等これに限らず、場合によっては、相違させても良い。また、高坪量部１１Ｐの突出高さＬ１１Ｐについても、二つの吸収性コア１１，１１同士で互いに同じにしているが、何等これに限らず、場合によっては、相違させても良い。更に、吸収性コア１１，１１…を三つ以上厚さ方向に重ね合わせても良い。
【００９９】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【０１００】
上述の実施形態では、吸収性物品としての尿取りパッド１を下着に取り付けて使用していたが、何等これに限らない。例えば、当該尿取りパッド１を、テープ式の使い捨ておむつに取り付けて使用しても良い。なお、テープ式の使い捨ておむつと言うのは、同おむつの後身頃たる後側部分の幅方向の各端部にファスニングテープの雄材をそれぞれ有し、これら各雄材に対応させて同前身頃たる前側部分に雌材を有し、そして、各雄材を雌材に係合させることにより、着用者の下半身に装着されるタイプのおむつのことである。そして、かかる使い捨ておむつへの尿取りパッド１の取り付けは、同おむつの表面シートの肌側面に、尿取りパッド１の本体部１ｓの非肌側面が当接されて相対移動不能に固定されることによりなされる。
【０１０１】
上述の実施形態では、複数の折り曲げ線として三つの折り曲げ線ＬＢ１，ＬＢ２，ＬＢ３を例示し、これにより尿取りパッド１を四つ折りしていたが、何等これに限らない。すなわち、図１３Ａの概略側面図のように、一つの折り曲げ線でのみ折り曲げる二つ折りにしても良いし、図１３Ｂの概略側面図のように、二つの折り曲げ線でのみ折り曲げる三つ折りにしても良いし、４つ以上の折り曲げ線で折り曲げるようにしても良い。更に言えば、図１３Ｃの概略側面図のように、折り曲げ線が無くても良い。ちなみに、かかる折り曲げ線が無い場合であっても、防漏壁部４０の弾性部材４５の収縮力に基づいて、吸収パッド１の本体部１ｓは、その肌側面が内周面となるように湾曲する。  
また、上述の如き折り曲げ線が三つではない何れの場合であっても、前述の模擬尿の３回の滴下処理、及び、その後になされる高さＨＣ１ｓ，Ｈ４０の比較処理は、尿取りパッド１の本体部１ｓの非肌側面が、上記中央位置Ｃ１ｓにて水平面Ｓｈに当接した状態で行われる。すなわち、上記の各処理は、本体部１ｓのうちの中央位置Ｃ１ｓの部分１ｓｐが、略水平な状態で行われる。なお、このとき、万一尿取りパッド１を水平面Ｓｈに単に静置するだけでは、上記中央位置Ｃ１ｓでの水平面Ｓｈへの当接状態を担保できない場合には、適宜尿取りパッド１を手で軽く支える等して、本体部１ｓの非肌側面が上記中央位置Ｃ１ｓにて水平面Ｓｈに当接するように尿取りパッド１を傾け、そして、この傾けた状態で上記の各処理を行っても良い。
【０１０２】
上述の実施形態では、高さ規定構造として、互いに種類の異なる三つの高さ規定構造を全て具備していたが、何等これに限らない。三つのうちの何れか一つ又は二つの高さ規定構造を選択して、選択された高さ規定構造のみを具備するようにしても良いし、又は、更に上記以外の種類の高さ規定構造を備えていても良い。ちなみに、より多くの種類の高さ規定構造を具備しているのが好ましいのは、言うまでもない。
【０１０３】
上述の実施形態では、図８Ａ乃至図８Ｃに示すように、吸収性コア１１は、その肌側面の外周縁部に沿って高坪量部１１Ｐを有し、当該高坪量部１１Ｐは、厚さ方向の肌側に突出していたが、何等これに限らない。例えば、図１２Ａ乃至図１２Ｃに示すように、吸収性コア１１の肌側面の外周縁部よりも幅方向及び長手方向の若干中央側の位置に環状に高坪量部１１Ｐが形成されていても良い。ちなみに、図１２Ａは、尿取りパッド１のうちで吸収性コア１１以外のものを透視して示す概略平面図であり、図１２Ｂ及び図１２Ｃは、それぞれ図１２Ａ中のＢ−Ｂ断面図及びＣ−Ｃ断面図であって、吸収性コア１１のみを示す図である。
【０１０４】
上述の実施形態では、図８Ａに示すように、吸収性コア１１の形状は略矩形平板形状であり、つまり、吸収性コア１１の平面形状は矩形形状であったが、何等これに限らない。例えば、図１２Ａ乃至図１２Ｃに示すように、平面形状が略砂時計形状であっても良い。
【０１０５】
上述の実施形態では、図８Ｂ及び図８Ｃに示すように、吸収性コア１１の高坪量部１１Ｐに係る第１高坪量部分１１Ｐ１及び第２高坪量部分１１Ｐ２の断面形状を、略台形形状にしていたが、何等これに限らない。例えば、略長方形や略正方形にしても良いし、または、これら以外の形状にしても良い。
【０１０６】
上述の実施形態では、一対の第１高坪量部分１１Ｐ１，１１Ｐ１は、長手方向に平行な直線形状に形成されていたが、何等これに限らない。すなわち、湾曲形状のように、長手方向の位置に応じて幅方向の位置が変化した形状であっても良い。
【０１０７】
上述の実施形態では、一対の第２高坪量部分１１Ｐ２，１１Ｐ２は、幅方向に平行な直線形状に形成されていたが、何等これに限らない。すなわち、湾曲形状のように、幅方向の位置に応じて長手方向の位置が変化した形状であっても良い。
【０１０８】
上述の実施形態では、一対の第２高坪量部分１１Ｐ２，１１Ｐ２同士を互いに同形状にしていたが、何等これに限らず、互いに異なる形状にしても良い。
【符号の説明】
【０１０９】
１  尿取りパッド（吸収性物品）、１ｓ  本体部、
１ｓ  本体部、１ｓＬｅ  端部、１ｓＷｅ  端部、
１ｓａ  部分、１ｓｂ  部分、１ｓｍ１  部分、１ｓｍ２  部分、
１ｓｐ  部分、
１１  吸収性コア、１１Ｃ  中央位置の部分、
１１Ｐ  高坪量部、
１１Ｐ１  第１高坪量部分、１１Ｐ１ｔ  肌側面、
１１Ｐ２  第２高坪量部分、
２１  表面シート、３１  裏面シート、
３３  ずれ止め用粘着部、
４０  防漏壁部、
４１  サイドシート、４１ｂ  基端部、
４１ｂ１  前端部、４１ｂ２  後端部、４１ｂ３  中間部、
４１ｂｅ  縁部（起立開始位置）、
４１ｆ  自由端部分、４１ｆａ  前端部、４１ｆｂ  後端部、４１ｆｍ  中間部分、
４１ｓ  部分、
４５  弾性部材、
７０  チューブ部材、８０  板部材、
Ｃ１ｓ  中央位置、ＣＬＬ  長手方向の中央位置、ＣＬＷ  幅方向の中央位置、
Ｅ  圧搾部、Ｅ１  第１圧搾部、Ｅ２  第２圧搾部、Ｈ１  溝部、
Ｓｈ  水平面、
ＬＢ１  第１折り曲げ線、ＬＢ２  第２折り曲げ線、ＬＢ３  第３折り曲げ線、
Ｇ  隙間、ＳＰ１１  空間、
【図１】
2014226460.tif 000003
【図２】
2014226460.tif 000004
【図３】
2014226460.tif 000005
【図４】
2014226460.tif 000006
【図５】
2014226460.tif 000007
【図６】
2014226460.tif 000008
【図７】
2014226460.tif 000009
【図８】
2014226460.tif 000010
【図９】
2014226460.tif 000011
【図１０】
2014226460.tif 000012
【図１１】
2014226460.tif 000013
【図１２】
2014226460.tif 000014
【図１３】
2014226460.tif 000015